(57)【要約】  同時に２つ又はそれ以上の番組(供給源２８)を記録することが強く望まれている。本文書において、ＤＶＤビデオ仕様への適合を維持しながら、２つ又はそれ以上の独立したビデオ番組を同時に記録可能なＤＶＤ(デジタル多機能ディスク)（１０）へ記録する方法及び機器が開示されている。ＤＶＤビデオ仕様は、記録された番組の間において何のギャップも許可しない。新奇の機器は、Ａ／Ｖ番組を表す受信データストリームを別々のチューナ又はテレビ多重情報から１つのデジタルビデオデータストリーム（３０）に多重化すると共に前記ストリームを前記媒体（１０）に記録するために、ＤＶＤビデオのマルチアングル機能を用いる。ＤＶＤのコンテンツテーブルは、デジタルビデオプレーヤにおいて再生されるときに、２つの視聴アングルが個別の番組として現れるように書き込まれ、記録の仕方を自動的に隠すために、使用者がアングルを変更する能力が無効にされ得る。
2007505586.tif 000002
【特許請求の範囲】
【請求項１】
２つ又はそれ以上の独立したビデオ番組を標準フォーマットに準拠した方式で同時にデジタルビデオ記録媒体へ記録する方法であって、当該方法が、別々の番組を表す受信データストリームを１つのデジタルビデオデータストリームに多重化するのに前記標準フォーマットのマルチアングル機能を用いるステップと、多重化された前記ビデオデータストリームを前記媒体に記録するステップとを有する方法。
【請求項２】
前記標準フォーマットがＤＶＤビデオフォーマットであり、前記多重化ビデオデータストリームがＭＰＥＧ２フォーマット(CCITT  H.222)に準拠する、請求項１に記載の方法。
【請求項３】
各々のデータストリーム自身が、多重化ビデオ及び音声データストリームを含むオーディオ／ビジュアルストリームである、請求項１又は２に記載の方法。
【請求項４】
前記マルチアングル機能の種々異なるアングルが個別のエントリとして現れる前記媒体に関するコンテンツのテーブルを記録するステップを更に有する、請求項１乃至３の何れか一項に記載の方法。
【請求項５】
前記標準フォーマットに準拠するプレーヤにおける合成デジタルビデオストリームの再生において、使用者がアングルを変更する能力が無効にされ得るように、制御情報を記録するステップを更に有する、請求項１乃至４の何れか一項に記載の方法。
【請求項６】
各々の受信データストリームが、別々のチューナから供給される、請求項１乃至５の何れか一項に記載の方法。
【請求項７】
前記受信データストリームが、１つのデジタルテレビ多重情報における別々の番組として供給される、請求項１乃至６の何れか一項に記載の方法。
【請求項８】
前記受信されたデータストリームが、ＭＰＥＧ２トランスポートストリームフォーマットに準拠する多重情報から供給され、各々の番組が、前記フォーマットにおける別々の番組ＩＤを有する、請求項７に記載の方法。
【請求項９】
１つ以外の全ての受信データストリームが前記記録ステップにおいて終了する場合、この残っているストリームが、標準フォーマットにおいて且つ前記マルチアングル機能を用いずに記録される、請求項１乃至８の何れか一項に記載の方法。
【請求項１０】
前記多重化データストリームにおける１つのアングルに関するデータを置き換えることによって前記記録された番組のうちの１つにわたり記録する一方で、前記記録された番組のうちの別の番組をそのままに残しておくステップを更に有する、請求項１乃至９の何れか一項に記載の方法。
【請求項１１】
前記多重化ストリームは、前記記録媒体における誤り訂正符号ブロックの各々が、前記マルチアングルストリームの１つのアングルのみに関するデータを含むように、前記媒体において記録される、請求項１乃至１０の何れか一項に記載の方法。
【請求項１２】
ビデオ番組を標準フォーマットに準拠した方式でデジタルビデオ記録媒体へ記録するデジタルビデオ記録機器であって、当該機器が、少なくとも２つの独立した番組を表す受信データストリームを前記標準フォーマットのマルチアングル機能を用いて１つのデジタルビデオデータストリームに多重化すると共に、両方の番組を同時に記録するように、多重化された前記ビデオデータストリームを前記媒体に記録する手段を有するデジタルビデオ記録機器。
【請求項１３】
前記標準フォーマットがＤＶＤビデオフォーマットであり、前記多重化ビデオデータストリームがＭＰＥＧ２フォーマット(CCITT  H.222)に準拠する、請求項１２に記載の機器。
【請求項１４】
各々のデータストリーム自身が、多重化ビデオ及び音声データストリームを含むオーディオ／ビジュアルストリームである、請求項１２又は１３に記載の機器。
【請求項１５】
前記マルチアングル機能の種々異なるアングルが個別のエントリとして現れる前記媒体に関するコンテンツのテーブルを記録する手段を更に有する、請求項１２乃至１４の何れか一項に記載の機器。
【請求項１６】
前記標準フォーマットに準拠するプレーヤにおける合成デジタルビデオストリームの再生において、使用者がアングルを変更する能力が無効にされ得るように、制御情報を記録する手段を更に有する、請求項１２乃至１５の何れか一項に記載の機器。
【請求項１７】
各々のデータストリームを別々のチューナから受信するように動作可能な手段を有する、請求項１２乃至１６の何れか一項に記載の機器。
【請求項１８】
前記２つの別々の番組に関するデータストリームを１つのデジタルテレビ多重情報から抽出するように動作可能な手段を有する、請求項１２乃至１７の何れか一項に記載の機器。
【請求項１９】
前記受信されたデータストリームが、ＭＰＥＧ２トランスポートストリームフォーマットに準拠する多重情報から供給され、各々の番組が、前記フォーマットにおける別々の番組ＩＤを有する、請求項１８に記載の機器。
【請求項２０】
１つ以外の全ての受信データストリームが前記記録をするステップにおいて終了する場合、この残っているストリームが標準フォーマットにおいて且つ前記マルチアングル機能を用いずに記録されるように構成される、請求項１２乃至１９の何れか一項に記載の機器。
【請求項２１】
前記多重化データストリームにおける１つのアングルに関するデータを置き換えることによって前記記録された番組のうちの１つにわたり記録する一方で、前記記録された番組のうちの別の番組をそのままに残しておくステップを更に有する、請求項１２乃至２０の何れか一項に記載の機器。
【請求項２２】
前記多重化ストリームは、前記記録媒体における誤り訂正符号ブロックの各々が、前記マルチアングルストリームの１つのアングルのみに関するデータを含むように、前記媒体において記録される、請求項２１に記載の機器。
【請求項２３】
２つ又はそれ以上の独立した番組が、異なる視聴アングルのフォーマットで同時に記録された、デジタルビデオ記録担体。
【請求項２４】
実質的に添付の図面の図３を参照にして本文書において説明される機器。
【請求項２５】
実質的に添付の図面の図３を参照にして本文書において説明される方法。
【発明の詳細な説明】
【技術分野】
【０００１】
本発明は、光学媒体へのＡＶストリームの同時記録に関し、特に、ＤＶＤ（デジタル多機能ディスク）ビデオ仕様への適合を維持しながらの２つ又はそれ以上の番組のＤＶＤビデオ準拠ディスクへ同時記録に関する。
【背景技術】
【０００２】
ＤＶＤビデオ仕様は、ＤＶＤフォーマット自身の拡張として、映画のような事前記録される資料の配布用に設計された。ビデオは、非常に単純化された段階において、ディスクの始まりから開始し、終了まで連続的に実行しなければならない。ＤＶＤビデオ仕様への準拠を維持することを目的としている、ＤＶＤ＋ＲＷレコーダのようなビデオ記録製品は、ディスクの始まりにおいて開始し、各々の記録された番組を１番組ずつ追加しなければならない。
【０００３】
ＤＶＤビデオ仕様は、記録間においてギャップが存在しないことを必要とするので、装置が２つのチューナ（又は１つのデジタルテレビ多重情報からの２つの番組）を具え、２つの番組を同時に記録する必要性が生じる場合、問題が生じる。２つ（又はそれ以上の）番組をディスクに同時に記録する必要性は、各々の番組をディスクの別々の部分で開始して記録することによって論理的に満たされ得る。しかし、レコーダは、各々の記録がどれだけの長さになるのかを正確に知る方法を持たないので、ディスクの１部分に１つの番組の記録を開始し、他の番組をディスクのどこか別の部分に記録を開始することは可能ではない。したがって、ギャップは保険を掛けられ得る。
【０００４】
同時ビデオ記録に対するこの解決法に伴う別の問題は、レコーダが２つの記録間においてディスクヘッドを繰り返し前後に移動する必要があることである。これは、生じられるノイズが原因で、及びユニットの寿命を縮め得る不可避な消耗及び生じる裂け目により、不所望である。
【０００５】
欧州特許出願公報第EP1152612号から、２つの同時ビデオ放送をテープ（又は他の媒体）に単一多重ストリームとして記録することが既知であるが、これは、同一番組のデジタル及びアナログ放送信号の同時記録を可能にすることであって、ＤＶＤビデオ仕様が原因になる、同時記録に関して生じる特定の問題を解決していない。
【発明の開示】
【発明が解決しようとする課題】
【０００６】
本発明の目的は、ＤＶＤビデオ仕様準拠を保存しつつも同時に２つ又はそれ以上の番組を記録しようとする場合に直面する上述の問題を解決することである。
【課題を解決するための手段】
【０００７】
本発明の第１の態様において、２つ又はそれ以上の独立したビデオ番組を同時にデジタルビデオ記録媒体に標準フォーマットに準拠した方法で記録する方法が与えられ、当該方法は、各々の番組の小さい区分を１つのデジタルビデオストリームに多重化するのに標準フォーマットのマルチアングル機能を用いるステップと、前記多重化されたビデオストリームを前記媒体に記録するステップを有する。
【０００８】
標準フォーマットは、多くのプレーヤ及び事前記録ディスクが既にインストールされているＤＶＤビデオフォーマットであり得る。この場合、多重化ビデオストリームは、ＭＰＥＧ２フォーマット(CCITT  H.222)であり得る。言うまでもなく、本発明は、ＤＶＤビデオの後継として現れ得る如何なる将来のフォーマットも含む、マルチアングル機能を有する他の如何なるフォーマットにも適応可能である。
【０００９】
ＤＶＤプレーヤは、通常、複数の異なる（通常９までの）アングルから番組をディスクに記録されることを可能にするマルチアングル機能を有し、これにより、例えば、サッカーの試合のＤＶＤが、視聴者によって好みのカメラのアングルから観戦され得るようになる。またＤＶＤレコーダは、通常、この機能を有し、これにより、例えば、マルチアングル機能を有する双方向型プロバイダからのデジタルスポーツ放送を記録している場合に、記録された番組は、標準フォーマットに従い各々が自身の音声トラックを有するマルチアングル機能を保持する。本発明は、放送番組を同時に分離するのにこの既存の設備を利用する。
【００１０】
多重化区分が再生される場合、ＤＶＤプレーヤは、再生される元のストリームの区分を再生し、ビデオのマルチアングル区分を再生しているかのように、自動的に、他のストリームの区分を過ぎてから前記ストリームに関するビデオを含む次の区分へ飛び越し等をする。
【００１１】
本発明の例証的な実施例において、各々のビデオストリームは、音声情報も含むＡ／Ｖストリームである。
【００１２】
当該方法は、更に、異なるアングルが別々のエントリとして現れる、媒体用にコンテンツのテーブルを記録するステップを含む。
【００１３】
当該方法は、更に、多重区分の再生において、使用者がアングルを変更する能力を無効にするように、制御情報を記録するステップを有する。
【００１４】
各々の元のストリームは、別々のチューナから供給される種々異なる番組であり得るか、又は代わりとして、番組は、（ＭＰＥＧ２トランスポートストリームフォーマットのような）１つのデジタルテレビ多重情報から供給され、各番組が前記フォーマットにおける異なる番組ＩＤを有し得る。
【００１５】
記録の過程において１つ以外の全てのストリームが終了する場合、残りのストリームは、マルチアングル機能を用いずに通常のストリームとして記録され得る。
【００１６】
ここにおいて「番組(programme)」という語句は、テレビ視聴者によって「番組」という語句に属される日常的な意味として用いられる。ビデオストリームがＭＰＥＧ２トランスポートストリーム多重情報から受信される場合、例えば、多重情報における種々異なる番組は、通常、異なる「番組ＩＤ」すなわち「ＰＩＤ」値と関連付けられ得るＭＰＥＧ２標準フォーマットのより特定な意味において、ＰＩＤは、視聴者の概念の「チャンネル」（ＢＢＣ１、ＢＢＣ２、ＭＴＶ等）により近い意味で等価である。
【００１７】
本発明は、更に、添付の請求項において更に定義される上述の方法を用いて、２つ又はそれ以上のビデオストリームを同時に記録するデジタルビデオ記録機器を提供する。
【００１８】
前記記録機器は、前記標準フォーマットに従って記録されたビデオ番組を再生すると共に同時に記録された前記番組のうちの選択された１つを再生する再生機器を当然組み込み得る。
【００１９】
本発明は、より更に、種々異なる番組に関する２つ又はそれ以上のビデオストリームが、上記で開示された本発明に従う方法を用いて異なる視聴アングルのフォーマットで同時に記録されている、記録担体を提供する。
【００２０】
本発明の実施例は、以下において、例としてのみ用いられ、添付の図面を参照にして説明され得る。
【発明を実施するための最良の形態】
【００２１】
図１は、番組を符号化しＤＶＤ記録媒体（ディスク）１０に記録するのに用いられ得るデータ処理機器の基本的な成分を示す。当該機器は、アドレス／データバス１８を介してランダムアクセスメモリ（ＲＡＭ）１４及び読み出し専用メモリ（ＲＯＭ）１６に従来的な方法で結合される中央処理器（ＣＰＵ）１２から成る。外部インターフェイス（ＥＸＴ  Ｉ／Ｆ）２０は、外部データ供給源との当該装置の接続を表す。家庭用ビデオ／音声レコーダの場合、前記インターフェイスは、記録されるべき（衛星受信器からのような）ビデオ信号／音声信号の供給源用の接続／受信手段を提供し得る。この特定の状況は、２つの同時Ａ／Ｖ入力ストリームを提供する２つの供給源２８を示す。これらの供給源は、例えば、ＤＶＤレコーダに対して内部的な又は外部的な、別々のビデオチューナであり得る。またこれらは、例えばＭＰＥＧ２トランスポートストリームフォーマットで単一デジタルビデオ多重情報において伝達された別々の番組でもあり得る。
【００２２】
１つ又は複数の使用者入力手段（ＵＩＰ）２２及びディスプレイ２４も、バス１８を介してＣＰＵ１２、メモリ１４／１６及びインターフェイス２０とも結合される。これらは、家庭用Ａ／Ｖレコーダ機器に関して、使用者制御ボタン及びＬＥＤすなわち機器フロントパネルにおけるディスプレイと同様なものを具え得る。更なる成分は、記憶媒体へのインターフェイスであり、この例において、光学ディスク記録／再生ユニット（ＤＩＳＫ  Ｒ／Ｗ）２６である。ユニット２６は、データをディスク１０からロードし読み出し及びディスク１０へ書き込む物理的手段と、既定の標準フォーマットに従ってフォーマットされたデータを読み出し／書き込みをする演算的プロトコルの内部セットとの両方を提供する。十分理解され得るように、ユニット２６のプロトコル処理ステップは、ＣＰＵ１２によって実行される高レベル制御のみに関連付けられるメモリ（図示されず）を具える内部スレーブ処理器によって有効にされ得るか、又はこれらの機能は、ＲＯＭ１６に保持されるプログラムを参照にしてＣＰＵ１２によって直接処理されＣＰＵ１２から実行されるか又は周期的にＲＡＭ１４に再ロードされ得る。斯様な機器の基本的な構成及び動作は、当業者にとって周知であり、本発明の理解のために本文章において説明される必要はない。
【００２３】
全てのＤＶＤ及びＣＤにおけるデータは、単一のらせん状トラックに形成される。ＤＶＤ読み出し専用媒体の場合、データは、媒体における一連のピットである一方で、ＤＶＤ＋ＲＷのような記録可能な再書き込み可能システムに関しては、記録されたマークが書き込まれる単一のらせん状溝部が存在する。実際のデータマークは、人間の眼には殆んど可視ではないものの、駆動装置の光学系及び電子系によってなお容易に検出される。ＤＶＤにおいて記録される各番組すなわち各区分は、らせん状トラックにおける以前の番組／区分に直後に続く。標準フォーマットのＤＶＤプレーヤにおける再生に関しての要件を満たすために、ディスクに対して何のギャップも番組間において許されない。
【００２４】
しかし、ＤＶＤビデオ仕様及びひいてはＤＶＤ＋ＲＷシステムは、「マルチアングル」再生及び記録を許可している。このことは、ディスクが、視聴者が再生中においてアクションを複数の異なる視点すなわち複数の異なるカメラアングルから観賞することが可能であって、再生中にこれらの間において選り好みをすることが可能であるような方法で、例えばアクションシーン又はスポーツイベントを記録することを可能にする。
【００２５】
ＤＶＤビデオ仕様は、この「マルチアングル」機能を有効にするために、多数のビデオストリームがディスクに作成されるのを可能にするプロトコルを提供している。このことは、同一のシーン／イベントを撮影している別々のカメラから得られる各々のビデオストリームの小さい区分を、１つのＭＰＥＧ２ビデオストリームにおいて多重化することによって行われる。
【００２６】
ＤＶＤプレーヤが、マルチアングル区分のビデオに遭遇する場合、このＤＶＤプレーヤが表示しているアングルに関する区分を単純に読み出し、そして当該アングルに関するビデオを含む次の区分に達するまで他のアングルに関する後続の区分は飛び越える。斯様にして、１つのアングルからのビデオは、妨害されずに視聴され得る。更に、アングルは、視聴者によって所望のように変更されることが可能であり、プレーヤは、新たに選択されたアングル及びこのアングルの全ての後続区分に関する次のビデオ区分へと飛び越してこれらを再生し、再び、他の全てのアングルを飛び越す。
【００２７】
ＤＶＤビデオ仕様のマルチアングル再生機能の更なる機能は、各カメラアングルに関して別々の音声トラックを記録することの可能性である。この機能は、非常にほとんど用いられないが、番組制作者が特定のシーンに関して雰囲気を向上するのを可能にする、又はサッカーの試合の記録において監督指示等が聞こえるような「ベンチ」すなわちテクニカルエリアを見せるアングルを可能にする。
【００２８】
ＤＶＤビデオ標準フォーマットは、事前記録された映画及び番組用の媒体として用いられるように考案されたので、２つ又はそれ以上の番組を同時に記録するように想定されていなかった（特に、このことは、従来型のＶＨＳテープでは可能ではなく、ＤＶＤ再生機器を設計する際に必須機能としておそらく考慮されなかったので）。しかし、斯様な機能は、ＤＶＤビデオレコーダにおいて明白に所望である。
【００２９】
図２Ａは及び図２Ｂは、なぜ番組間にギャップを残すことが可能でないことが、単純に１つのストリームをディスクのある地点において記録することを開始して別のストリームを後にディスクの異なる地点において開始することによって番組を同時に記録することを不可能にするかに関しての一例を与える。
【００３０】
図２Ａは、異なるチューナからの２つの番組が同時に記録されているＤＶＤのディスク容量を示すバー１を示す。第１番組が第１ビデオストリーム２によって表され、第２番組が第２ビデオストリーム３によって表される。第１ストリーム２は、ディスクのフロントにおいて開始して記録されており、第２ストリーム３の記録は、ディスクにおける１時間を表す位置において開始される。
【００３１】
図２Ｂは、４５分後の状況を示し、この時点において第１番組は終了する。第１ストリーム２は、ディスクの４５分で終了し、第２ストリーム３は、この時点においてディスクの１時間４５分である。したがって、１５分間のギャップ４が、第１ストリームの終了と第２ストリームの開始の間において残される。斯様なギャップは、ＤＶＤ互換性が維持されるべきであるな場合において、許されない。しかし、レコーダが記憶されるべき第１ストリームの正確な長さを知る方法は存在しない（このことは、ファイルサイズが時間のみに依存するわけではないという事実によって更に複雑にされる）ので、第２ストリームの記録を正確に適所で開始することも不可能である。
【００３２】
この問題は、ＤＶＤビデオ仕様のマルチアングル機能を用いることによって、両方の同時Ａ／Ｖストリームをこれらのストリームが両方ともビデオのマルチアングル区分の構成物であるかのように同一のＭＰＥＧ２番組ストリームに記録する図１の新奇な機器において解決される。これは、各ビデオストリームの小さい区分を単一のＭＰＥＧ２ストリームに多重化することによって行われる。
【００３３】
図３は、マルチアングル機能を用いて別の番組と同時に記録された番組の再生におけるＤＶＤのディスク容量を同様に表すバー３０を示す。１とマークされた区分は、第１番組を表し、２とマークされた区分は、第２番組を表す。プレーヤ（必ずしも記録を行った装置ではない）が、初めて多重化区分に遭遇する場合、プレーヤは、選択された番組に関する（例えば第１Ａ／Ｖストリーム１）ビデオ（及び音声）を含むプレーヤが遭遇する第１番目の区分を再生し、そしてプレーヤが次の関連する区分に遭遇するまで他のストリーム／番組に関するいずれの区分も飛び越す。
【００３４】
レコーダは、(i)両方の番組がＤＶＤメニュにおけるコンテンツのテーブルにおいて個別のエントリとして現れ、(ii)これらの番組のうちの１つが、再生に関して選択される場合、プレーヤは、同一のストリームであるが異なる「アングル」からのストリームを適切に再生するように構成する。使用者が記録方法を気が付かないままでいることを保証するために、リモコンにおける「アングルを変更する」ボタンは、斯様に記録されたいかなる番組の再生においても無効にされ得る。このことは、適切な値を特定のＤＶＤビデオ構造で配置するレコーダによって実現される。
【００３５】
したがって、この解決法は、１つの番組が終了すると直ちにもう１つの番組が図４において図示されるように単なる通常の非マルチアングルストリームとして記録されることを継続され得るので（２つの番組のみが同時に記録されていたと仮定して）、第１番組の持続時間を知らないという問題を解決する。またこの解決法は、今や両方のすなわち全ての番組が１つの連続的なストリームにおいて記録されるので、過剰なヘッド移動の問題も解決する。別の記録は、いかなる時にも開始され得る。３つ又はそれ以上の番組は、これらの供給源データが利用可能である場合、斯様にして同時に記録され得る。
【００３６】
番組の１つが後に消去される場合、消去される番組がマルチアングルの番組において１つの視点として交互配置されるスペースを自由にするようにレコーダを構成することは、通常困難である。しかし、新奇のレコーダは、元の２つの番組を記録する場合にＥＣＣブロックにおいてアングル区分を配置することによって、記録によって占有されたスペースが他のアングルを修正される必要なく再利用されることを容易にする。図５は、図３の記録内における番組２が消去され番組３によって上書きされた後の状況を示す。
【００３７】
上述のように、本発明は、現在広範囲に用いられるＤＶＤ標準フォーマットに特に適用可能であるが、ＤＶＤに置き換わる又はＤＶＤを拡張し得る将来のシステムにおいて適用され得る。これら及び他の変更態様及び変形態様は、当業者によって容易に想定され得、本発明の精神及び範囲から逸脱することなく実施され得る。
【図面の簡単な説明】
【００３８】
【図１】図１は、本発明の実施例に従うディスク読み出し／書き込み機器を示す。
【図２Ａ】図２Ａは、２つの同時ストリームがディスクの別々の位置に記録されるディスクスペースの表現を示す。
【図２Ｂ】図２Ｂは、後ほどの時間における図２Ａと同じ表現を示す。
【図３】図３は、２つの番組が、本発明に従う方法を用いてＤＶＤに同時に記録されたディスクスペースの表現を示す。
【図４】図４は、１つの番組がもう１つの番組よりも前に終了する場合のデータの配置を示す。
【図５】図５は、１つの番組が別の番組によって上書きされた後のデータの配置を示す。
【図１】
2007505586.tif 000003
【図２Ａ】
2007505586.tif 000004
【図２Ｂ】
2007505586.tif 000005
【図３】
2007505586.tif 000006
【図４】
2007505586.tif 000007
【図５】
2007505586.tif 000008
【国際調査報告】
2007505586.tif 000009
2007505586.tif 000010
2007505586.tif 000011
2007505586.tif 000012